【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
画像形成装置に用いられるシームレスベルトであって、少なくとも、熱可塑性樹脂と、該熱可塑性樹脂１００質量部に対して５〜５０質量部のポリエーテルエステルアミドとを含み、
更に、下記一般式（１）で示される化合物、下記一般式（２）で示される化合物、下記一般式（４）で示されるペンタエリスリトール型ホスファイト化合物、及び下記一般式（５）で示されるアルキルアシッドホスフェート化合物から選ばれる少なくとも１つを、前記ポリエーテルエステルアミドに対して総量で０．０５〜１０質量％含有することを特徴とするシームレスベルト。
【化１】
2005202297.tif 000001
（式（１）及び式（２）中、Ｒ１は炭素数１〜３０のアルキル基、アリール基又はアラルキル基を示す。Ｒ２、Ｒ３、Ｒ４、Ｒ５、Ｒ７及びＲ８はそれぞれ独立に水素又は炭素数１〜１０のアルキル基、アリール基、アラルキル基を示す。Ｒ６は水素又は炭素数１〜４のアルキル基を示す。）
【化２】
2005202297.tif 000002
（式（４）中、Ｒ１１〜Ｒ１６はそれぞれ独立に水素又は炭素数１〜１０のアルキル基、アリール基、アラルキル基を示す。）
【化３】
2005202297.tif 000003
（式（５）中ｎは１〜２の整数、ｍは１０〜３０の整数を示す。）
【請求項２】
前記熱可塑性樹脂が、熱可塑性フッ素系樹脂、アクリロニトリル・ブタジエン・スチレン系共重合樹脂、ポリオキシメチレン系樹脂、ポリカーボネート系樹脂及びポリアルキレンテレフタレート系樹脂から選ばれることを特徴とする請求項１に記載のシームレスベルト。
【請求項３】
像担持体に形成された静電潜像を現像剤により可視化し、これを転写材上に転写して定着させることにより画像を形成する画像形成装置であって、請求項１または２に記載のシームレスベルトを有することを特徴とする画像形成装置。
【請求項４】
前記シームレスベルトを中間転写ベルト及び／又は転写搬送ベルトとして用いることを特徴とする請求項３に記載の画像形成装置。
【手続補正２】
【補正対象書類名】明細書
【補正対象項目名】００１５
【補正方法】変更
【補正の内容】
【００１５】
本発明のシームレスベルトは、画像形成装置に用いられるシームレスベルトであって、少なくとも、熱可塑性樹脂と、該熱可塑性樹脂１００質量部に対して５〜５０質量部のポリエーテルエステルアミドとを含み、
更に、下記一般式（１）で示される化合物、下記一般式（２）で示される化合物、下記一般式（４）で示されるペンタエリスリトール型ホスファイト化合物、及び下記一般式（５）で示されるアルキルアシッドホスフェート化合物から選ばれる少なくとも１つを、前記ポリエーテルエステルアミドに対して総量で０．０５〜１０質量％含有することを特徴とする。
【手続補正３】
【補正対象書類名】明細書
【補正対象項目名】００１６
【補正方法】変更
【補正の内容】
【００１６】
【化１】
2005202297.tif 000004
（式（１）及び式（２）中、Ｒ１は炭素数１〜３０のアルキル基、アリール基又はアラルキル基を示す。Ｒ２、Ｒ３、Ｒ４、Ｒ５、Ｒ７及びＲ８はそれぞれ独立に水素又は炭素数１〜１０のアルキル基、アリール基、アラルキル基を示す。Ｒ６は水素又は炭素数１〜４のアルキル基を示す。）
【化２】
2005202297.tif 000005
（式（４）中、Ｒ１１〜Ｒ１６はそれぞれ独立に水素又は炭素数１〜１０のアルキル基、アリール基、アラルキル基を示す。）
【化３】
2005202297.tif 000006
（式（５）中ｎは１〜２の整数、ｍは１０〜３０の整数を示す。）
【手続補正４】
【補正対象書類名】明細書
【補正対象項目名】００１９
【補正方法】変更
【補正の内容】
【００１９】
本発明のシームレスベルトは、本発明のシームレスベルトは、画像形成装置に用いられるシームレスベルトであって、少なくとも、熱可塑性樹脂と、該熱可塑性樹脂１００質量部に対して５〜５０質量部のポリエーテルエステルアミドとを含み、
更に、下記一般式（１）で示される化合物、下記一般式（２）で示される化合物、下記一般式（４）で示されるペンタエリスリトール型ホスファイト化合物、及び下記一般式（５）で示されるアルキルアシッドホスフェート化合物から選ばれる少なくとも１つを、前記ポリエーテルエステルアミドに対して総量で０．０５〜１０質量％含有することを特徴とする。
【手続補正５】
【補正対象書類名】明細書
【補正対象項目名】００２０
【補正方法】変更
【補正の内容】
【００２０】
【化４】
2005202297.tif 000007
（式（１）及び式（２）中、Ｒ１は炭素数１〜３０のアルキル基、アリール基又はアラルキル基を示す。Ｒ２、Ｒ３、Ｒ４、Ｒ５、Ｒ７及びＲ８はそれぞれ独立に水素又は炭素数１〜１０のアルキル基、アリール基、アラルキル基を示す。Ｒ６は水素又は炭素数１〜４のアルキル基を示す。）
【化５】
2005202297.tif 000008
（式（４）中、Ｒ１１〜Ｒ１６はそれぞれ独立に水素又は炭素数１〜１０のアルキル基、アリール基、アラルキル基を示す。）
【化６】
2005202297.tif 000009
（式（５）中ｎは１〜２の整数、ｍは１０〜３０の整数を示す。）
【手続補正６】
【補正対象書類名】明細書
【補正対象項目名】００３４
【補正方法】変更
【補正の内容】
【００３４】
本発明で用いられるペンタエリスリトール型ホスファイト化合物としては下記一般式（４）で示される化合物である。下記式（４）で示される化合物の具体例としては、旭電化工業（株）製の商品名アデカスタブＰＥＰ−２４Ｇ、GE Specialty Chemicals, Inc. 製
の商品名Ｕｌｔｒａｎｏｘ  ６２６（何れも式（４）においてＲ１１、Ｒ１３、Ｒ１５、Ｒ１６がｔ−ブチル基であり、Ｒ１２、Ｒ１４が水素である）、旭電化工業（株）製の商品名アデカスタブＰＥＰ−３６（式（４）においてＲ１１〜Ｒ１４がｔ−ブチル基、Ｒ１５、Ｒ１６がメチル基である）等が挙げられる。
【手続補正７】
【補正対象書類名】明細書
【補正対象項目名】００３５
【補正方法】削除
【補正の内容】
【手続補正８】
【補正対象書類名】明細書
【補正対象項目名】００４０
【補正方法】変更
【補正の内容】
【００４０】
本発明においてペンタエリスリトール型ホスファイト化合物、上記一般式（１）で示される化合物、上記一般式（２）で示される化合物及びアルキルアシッドホスフェート化合物から選ばれる少なくとも１つのシームレスベルトへの添加量としては総量で上記ポリエーテルエステルアミドの添加量の０．０５〜１０質量％の範囲であり、好ましくは０．２〜４質量％の範囲である。より好ましくは、上記ポリエーテルエステルアミドの添加量に対して、ペンタエリスリトール型ホスファイト化合物、上記一般式（１）で示される化合物及び上記一般式（２）で示される化合物から選ばれる少なくとも１つを総量で０．０５〜１質量％（更に好ましくは０．１〜０．２質量％）とアルキルアシッドホスフェート化合物を０．５〜３質量％（更に好ましくは０．５〜１質量％）含有させることが、得られるベルトの表面性と耐引き裂き性を非常に高いレベルでバランスできることから好ましい。ここで、ペンタエリスリトール型ホスファイト化合物、上記一般式（１）で示される化合物、上記一般式（２）で示される化合物及びアルキルアシッドホスフェート化合物の添加量の総量がポリエーテルエステルアミドの添加量に対して０．０５質量％未満では熱可塑性樹脂中へのポリエーテルエステルアミドの分散性向上効果が薄く、１０質量％を超える場合には得られる製品の表面性の著しい低下が見られる。即ち、本発明のシームレスベルト中のポリエーテルエステルアミド並びに、ペンタエリスリトール型ホスファイト化合物、上記一般式（１）で示される化合物、上記一般式（２）で示される化合物及びアルキルアシッドホスフェート化合物の含有量を上記範囲に調整することにより、シームレスベルトの抵抗制御効果を充分に発揮できる量のポリエーテルエステルアミドを熱可塑性樹脂中に均一に分散することができ、優れた抵抗制御効果を維持しつつも耐引き裂き特性に優れたシームレスベルトを提供することができる。